(57)【要約】【課題】外部から押圧や衝撃が与えられても内部部品に力が入力され難く、しかも、光源部で生じた熱を効率良く外部に放熱できる電子機器を提供する。【解決手段】液晶表示装置４０は、液晶表示パネル４１と、光源部４６とを備える。光源部４６から発せられる熱を伝達可能な可撓性の伝熱シート６０は、第１の部分６１と、第２の部分６２と、これらの間に設けられた第３の部分６３とを有する。伝熱シート６０は、第１の部分６１を液晶表示装置４０と熱的に接触させるとともに、第２の部分６２をハウジング２０の内面２０ａと熱的に接触させる。伝熱シート６０は、第３の部分６３をハウジング２０及び液晶表示装置４０と離間させた姿勢でハウジング２０内に収容する。【選択図】      図２
2005140924.tif 000002
【特許請求の範囲】
【請求項１】
内面を有するハウジングと、
表示パネルと、光源部とを備えた表示装置と、
第１の部分、第２の部分、及び、上記第１の部分と第２の部分との間に設けられた第３の部分を有し、上記光源部から発せられる熱を伝達可能な可撓性の伝熱部材と、を具備し、
上記伝熱部材は、上記第１の部分を上記表示装置と熱的に接触させるとともに、上記第２の部分を上記ハウジングの内面のうちの上記第１の部分が上記表示装置と熱的に接触している領域と対向する領域以外の領域と熱的に接触させ、且つ、上記第３の部分を上記ハウジング及び表示装置と離間させた姿勢で上記ハウジング内に収容されていることを特徴とする電子機器。
【請求項２】
内面を有するハウジングと、
互いに対向する端部を有する表示パネル、及び、この表示パネルの一方の端部に設けられた光源部とを備え、上記ハウジング内に収容された表示装置と、
第１の部分、第２の部分、及び、上記第１の部分と第２の部分との間に設けられた第３の部分を有し、上記光源部から発せられる熱を伝達可能な可撓性の伝熱部材と、を具備し、
上記伝熱部材は、上記第１の部分を上記表示装置のうちの上記光源部の長手方向の少なくとも一部と対応する領域と熱的に接触させるとともに、上記第２の部分を上記ハウジングの内面と熱的に接触させ、且つ、上記第３の部分を上記ハウジング及び表示装置と離間させた姿勢で上記ハウジング内に収容されていることを特徴とする電子機器。
【請求項３】
上記伝熱部材の第１の部分は、上記光源部と熱的に接触していることを特徴とする請求項１又は２に記載の電子機器。
【請求項４】
上記表示装置は、外壁を有し、上記表示パネル及び光源部を保持するベゼルを備えており、上記伝熱部材の第１の部分は、上記ベゼルの外壁の内面と熱的に接触していることを特徴とする請求項１又は２に記載の電子機器。
【請求項５】
上記表示装置は、外壁を有し、上記表示パネル及び光源部を保持するベゼルを備えており、上記伝熱部材の第１の部分は、上記ベゼルの外壁の外面と熱的に接触していることを特徴とする請求項１又は２に記載の電子機器。
【請求項６】
上記第１の部分は、上記表示装置のうちの上記光源部の長手方向の全域と対応する領域と熱的に接触していることを特徴とする請求項２に記載の電子機器。
【請求項７】
上記第１の部分は、上記表示装置のうちの上記光源部の長手方向の一部と対応する領域と熱的に接触していることを特徴とする請求項２に記載の電子機器。
【請求項８】
互いに対向する一対の面を有する表示パネルと、
この表示パネルの一方の面側に配置された光源部と、
上記表示パネル及び光源部を保持するベゼルと、
上記光源部と熱的に接触している第１の部分、上記ベゼルが収容されるハウジングと熱的に接触可能な第２の部分、及び、これら第１及び第２の部分の間に設けられた第３の部分を有し、上記光源部から発せられる熱を伝達可能な伝熱部材と、を具備することを特徴とする表示装置。
【請求項９】
互いに対向する一対の面を有する表示パネルと、
この表示パネルの一方の面側に配置された光源部と、
外壁を有し、上記表示パネル及び光源部を保持するベゼルと、
上記ベゼルの外壁の内面と熱的に接触している第１の部分、上記ベゼルが収容されるハウジングと熱的に接触可能な第２の部分、及び、これら第１及び第２の部分の間に設けられた第３の部分を有し、上記光源部から発せられる熱を伝達可能な伝熱部材とを具備することを特徴とする表示装置。
【発明の詳細な説明】
【技術分野】
【０００１】
本発明は、表示装置を備えるポータブルコンピュータのような電子機器、及び、電子機器等に搭載される表示装置に関する。
【背景技術】
【０００２】
例えばポータブルコンピュータのような電子機器としては、液晶表示装置と、この液晶装置を収容するハウジングとを有するディスプレイユニットを備えたものが知られている。液晶表示装置は、液晶表示パネル（液晶表示素子）と、この液晶表示パネルの下側に配置された導光板と、この導光板の一端面に沿って配置された線状の光源とを備えている。
【０００３】
ところで、液晶表示装置の動作中においては、光源から熱が発せられる。この光源から発せられた熱が液晶表示パネルに伝わると、液晶表示パネルの光源付近の領域と、この光源から離れた領域との間に温度差を生じさせてしまう。液晶表示パネルの温度むらは、表示むらを引き起こすため好ましくない。
【０００４】
このような事情から、液晶表示装置としては、導光板の下の光源近傍に、熱伝導性の良い放熱シートを設けたものが提案されている。具体的には、液晶表示パネル、導光板、及び光源を下側ケース内に収容するとともに、導光板と下側ケースとを、ランプ反射シート及び放熱シートを介して接触させている（例えば、特許文献１参照。）。
【０００５】
また、液晶表示装置としては、導光板の後面を覆うように放熱器を備えたものが知られている。放熱器は、導光板との間に隙間を設け、且つ、この隙間が導光板の中央部付近で最小となるように形成されている。また、この放熱部は、光源の電極部を覆うカバー部と接触させている（例えば、特許文献２参照。）。
【０００６】
さらに、液晶表示装置としては、液晶表示パネル、導光板、及び光源を有する液晶表示アッセンブリを樹脂容器で取り囲むとともに、樹脂容器の後壁の内面に熱伝導材料シートを貼り付けたものが知られている（例えば、特許文献３参照。）。
【特許文献１】特開平９−３１８９４０号公報（段落００２８〜段落００２９、図１）
【特許文献２】特開平１１−２４０７２号公報（段落００１８〜段落００２６、図１）
【特許文献３】米国特許第５,１４６,３５４号明細書（コラム３〜コラム４、図２）
【発明の開示】
【発明が解決しようとする課題】
【０００７】
しかしながら、特許文献１乃至３に記載の技術では、液晶表示装置の外部から押圧や衝撃が入力された場合に、この力が導光板や光源等に入力されてしまうおそれがある。すなわち、特許文献１に記載の技術では、導光板と下側ケースとがランプ反射シート及び放熱シートを介して接触している。したがって、下側ケースの外部から押圧や衝撃が与えられた場合、この力が反射ランプや導光板に入力されてしまうおそれがある。また、特許文献２に記載の技術では、放熱器が光源の電極部とを覆うカバー部と接触している。そのため、放熱器の外部から押圧や衝撃が与えられた場合、この力がカバー部や光源の電極部に入力されてしまうおそれがある。さらに、特許文献３に記載の技術では、樹脂容器の後壁に貼り付けられた熱伝導材料シートと光源とが接触している。したがって、樹脂容器の後側から押圧や衝撃が与えられた場合、この力が熱伝導材料シートを介して光源に入力されるおそれがある。
【０００８】
ポータブルコンピュータのように任意の場所に持ち運んで使用するような電子機器の場合、電子機器の外部から押圧や衝撃が与えられることがある。よって、特許文献１乃至３に記載の液晶表示装置を上述のような電子機器に適用するのはあまり好ましくない。
【０００９】
さらに、上述のような電子機器では、液晶表示装置をハウジングに収容してなるディスプレイユニットを本体ユニットに取付けることが多い。このような場合、特許文献１乃至３に記載の液晶表示装置では、放熱部材（放熱シート、放熱器、熱伝導材料シート）に放熱された熱がハウジング内に篭り易いという問題がある。しかも、特許文献１乃至３に記載の技術では、光源で発せられた光が液晶表示パネル側に放熱されるおそれがある。特に、特許文献１に記載の技術では、光源で発せられた光が導光板側、すなわち、液晶表示パネル側に放熱し易い。
【００１０】
本発明は、このような事情にもとづいてなされたもので、外部から押圧や衝撃が与えられても内部部品に力が入力され難く、しかも、光源部で生じた熱を効率良く外部に放熱できる電子機器及び表示装置を提供することを目的とする。
【課題を解決するための手段】
【００１１】
本発明の１つの形態に係る電子機器は、内面を有するハウジングと、表示パネルと、光源部とを備えた表示装置と、第１の部分、第２の部分、及び、上記第１の部分と第２の部分との間に設けられた第３の部分を有し、上記光源部から発せられる熱を伝達可能な可撓性の伝熱部材と、を具備し、上記伝熱部材は、上記第１の部分を上記表示装置と熱的に接触させるとともに、上記第２の部分を上記ハウジングの内面のうちの上記第１の部分が上記表示装置と熱的に接触している領域と対向する領域以外の領域と熱的に接触させ、且つ、上記第３の部分を上記ハウジング及び表示装置と離間させた姿勢で上記ハウジング内に収容されている。
【００１２】
本発明の１つの形態に係る表示装置は、互いに対向する一対の面を有する表示パネルと、この表示パネルの一方の面側に配置された光源部と、上記表示パネル及び光源部を保持するベゼルと、上記光源部と熱的に接触している第１の部分、上記ベゼルが収容されるハウジングと熱的に接触可能な第２の部分、及び、これら第１及び第２の部分の間に設けられた第３の部分を有し、上記光源部から発せられる熱を伝達可能な伝熱部材と、を具備する。
【発明の効果】
【００１３】
本発明によれば、外部から押圧や衝撃が与えられても内部部品に力が入力され難く、しかも、光源部で生じた熱を効率良く外部に放熱できる電子機器及び表示装置が得られる。
【発明を実施するための最良の形態】
【００１４】
以下、本発明の第１の実施形態を、電子機器としてのポータブルコンピュータ１に適用した図１乃至図３を参照して説明する。図１は、ノート型のポータブルコンピュータ１を開示している。このポータブルコンピュータ１は、本体ユニット２と、ディスプレイユニット３とを備えている。
【００１５】
本体ユニット２は、例えば机の天板のような設置面（図示せず）に設置可能な第１のハウジング１０を有している。第１のハウジング１０は、偏平な箱状に形成されている。第１のハウジング１０は、その上面の前半部にパームレスト１１を有しているとともに、パームレスト１１の後方でキーボード１２を支持している。第１のハウジング１０の後端部には、上向きに張り出す凸部１３が形成されている。凸部１３は、キーボード１２の後方において本体ユニット２の全幅にわたって延びている。この凸部１３は、長手方向に離間した両端部に一対のディスプレイ支持部１４ａ，１４ｂを有している。これらディスプレイ支持部１４ａ，１４ｂは、凸部１３の前方、上方、後方に向けて開放する窪みにて構成されている。また、本体ユニット２は、図示しないが、第１のハウジング１０の内部に、プリント配線板及びハードディスク駆動装置のようなその他の部品を有している。
【００１６】
ディスプレイユニット３は、第２のハウジング２０と、この第２のハウジング２０内収容される表示装置としての液晶表示装置４０とを備えている。第２のハウジング２０は、後述する開き位置において前側となる前壁２１、この前壁２１と対向する背壁２２、一対の側壁２３，２４、及び、一対の端壁２５，２６を有して、偏平な箱状に形成されている。前壁２１には、表示用の開口部２７が設けられている。この開口部２７は、前壁２１の大部分にわたる大きさを有している。この開口部２７を通じて後述する液晶表示装置４０の表示画面（後述する液晶表示パネル４１の前面４１ａ）が第２のハウジング２０の外方に露出される。なお、図２では、開口部２７と液晶表示装置４０の表示画面との間に隙間があるが、開口部２７は、液晶表示装置４０により実質的に気密に閉塞させるのが好ましい。
【００１７】
第２のハウジング２０は、その一端部（後述する開き位置において下端部）に一対の脚部２８ａ，２８ｂを有している。脚部２８ａ，２８ｂは、第２のハウジング２０の幅方向に離間して配置されており、夫々第１のハウジング１０のディスプレイ支持部１４ａ，１４ｂに導かれている。そして、これら脚部２８ａ，２８ｂは、第１のハウジング１０の後端部に夫々ヒンジ金具（図示せず）を介して回動可能に支持されている。
【００１８】
そのため、ディスプレイユニット３は、パームレスト１１やキーボード１２を上方から覆うように倒される閉じ位置と、パームレスト１１やキーボード１２を露出させるように起立する開き位置とにわたって回動可能となっている。なお、図１では、ポータブルコンピュータ１を上記開き位置で示している。
【００１９】
次に、ディスプレイユニット３について詳しく説明する。図１及び図２に示すように、第２のハウジング２０は、背壁２２、一対の側壁２３，２４、及び、一対の端壁２５，２６を構成するケース部材２９と、前壁２１を構成するカバー部材３０とを有している。ところで、第２のハウジング２０が開口を有していると、この開口を通じて第２のハウジング２０内に外部から塵埃が侵入し易くなる。よって、第２のハウジング２０は、極力開口を有していないのが好ましい。よって、本実施形態では、ケース部材２９及びカバー部材３０は、第２のハウジング２０内に篭った熱を放熱させるための開口を有していない。上記開口部２７を液晶表示素子により実質的に気密に閉塞させているため、第２のハウジング２０内は実質的に気密な状態となっている。
【００２０】
図２及び図３に示すように、液晶表示装置４０は、液晶表示パネル（液晶表示素子）４１、バックライト４２、回路基板４３、及びベゼル４４等を備えている。液晶表示パネル４１としては、従来知られている既存の液晶表示パネル（液晶表示素子）を用いることができる。簡単に説明すると、液晶表示パネル４１は、一枚膜状の対向電極等が形成された第１の基板と、複数の薄膜トランジスタ、複数の走査線、複数の信号線、及び複数の画素電極等が形成された第２の基板との間に液晶を封入することで形成されている。また、第１の基板の外面、及び、第２の基板の外面には、偏光板等が積層されている。
【００２１】
液晶表示パネル４１は、互いに対向する前後一対の面４１ａ，４１ｂを有している。一方の面４１ｂは、光源部からの光を入射させる背面とされている。以下、一方の面４１ｂを背面と言う。他方の面４１ａは背面４１ｂから入射した光を出射させる前面とされている。以下、他方の面４１ａを前面と言う。この前面４１ａが画像を表示する表示画面となる。また、液晶表示パネル４１は、互いに対向する一対の端部４１ｃ，４１ｄを有している。本実施形態では、上記開き位置において、端部４１ｃが下端部、端部４１ｄが上端部となる。
【００２２】
バックライト４２は、導光板４５と光源部４６とを有している。導光板４５は、光源部４６から発せられた光を液晶表示パネル４１の背面５１ｂに向けて出射させるものであり、アクリル系樹脂等の透明部材により形成されている。導光板４５は、例えば、前面４５ａ、背面４５ｂ、上下一対の端面４５ｃ，４５ｄ、左右一対の側面（図示せず）を有して楔状に形成することができる。液晶表示パネル４１の背面４１ｂと対向する導光板４５の前面４５ａは、上記背面４１ｂと略平行となるように平坦に形成されている。導光板４５の背面４５ｂは、下端面４５ｄ側から上端面４５ｃ側に向かうに従って前面４５ａ側に近づくように傾斜している。すなわち、下端面４５ｄ側の厚さの方が上端面４５ｃ側の厚さよりも厚くなっている。導光板４５は、この導光板４５の前面４５ａと液晶表示パネル４１の背面４１ｂとの間に粘着性を有し且つ光を散乱させる散乱層４７を介在させることで、上記背面４５ｂに貼り付けられている。なお、散乱層４７は省略してもよい。
【００２３】
光源部４６は、例えば、線状に形成されており、液晶表示パネル４１の一方の端部４１ｃ（本実施形態では、下端部）に設けられている。詳しくは、光源部４６は、液晶表示パネル４１の背面４５ｂ側に、この背面４５ｂの下縁部に沿って配置されている。光源部４６は、光源としての一対の直管状の蛍光管４８ａ，４８ｂとリフレクタ４９とを有している。これら蛍光管４８ａ，４８ｂは、導光板４５の下端面４５ｄと対向するように互いに平行に配置されている。
【００２４】
ところで、蛍光管４８ａ，４８ｂは、その種類によって長手方向のいずれの位置が発熱するのかが異なる。すなわち、蛍光管４８ａ，４８ｂによっては、点灯中において、長手方向の全域が発熱したり、長手方向両端部が発熱したり、長手方向中間部分が発熱したりと様々である。本実施形態では、蛍光管４８ａ，４８ｂとして、例えば、点灯中に、その長手方向の全域で発熱する蛍光管を採用している。
【００２５】
リフレクタ４９は、一方の蛍光管４８ａを導光板４５側とは反対側から覆う第１の反射部４９ａと、他方の蛍光管４８ｂを導光板４５側とは反対側から覆う第２の反射部４９ｂとを有している。これにより、各蛍光管４８ａ，４８ｂから発せられて導光板４５側とは反対側に進行した光は、リフレクタ４９により導光板４５の下端面４５ｄに向けて反射される。導光板４５の下端面４５ｄの長手方向（左右方向）の長さ、蛍光管４８ａ，４８ｂの長手方向（左右方向）長さ、及び、リフレクタ４９の長手方向（左右方向）長さは、夫々略同じ長さに形成されている。
【００２６】
回路基板４３は、液晶表示パネル４１を駆動させるとともに、一対の蛍光管４８ａ，４８ｂを駆動（点灯）させる。この回路基板４３は、導光板４５の背面４５ｂと隣接して配置されている。なお、上述のように、導光板４５は、上端面４５ｃ側よりも下端面４５ｄ側の方が肉厚に形成されている。よって、第２のハウジング２０の厚さを薄くするためには、回路基板４３は、上端面４５ｃ側に寄せて配置するとよい。
【００２７】
ベゼル４４は、枠状の前壁５０、枠状の背壁５１、一対の側壁（図示せず）、及び一対の端壁５２，５３を有している。液晶表示パネル４１、導光板４５、光源部４６、及び回路基板４３は、ベゼル４４により保持されてユニット化されている。ユニット化された液晶表示装置４０は、第２のハウジング２０内に収容されている。
【００２８】
よって、蛍光管４８ａ，４８ｂから発せられた光は、直接的又はリフレクタ４９による反射で間接的に、導光板４５の下端面４５ｄ側に向かって進行し、この導光板４５に下端面４５ｄから入射する。導光板４５に、その下端面４５ｄから入射した光は、導光板４５中において全反射を繰り返しながら上方に導かれ、前面４５ａへの入射角度が所定の角度となった際に上記前面４５ａから出射し、散乱層４７中を散乱しながら通過して、液晶表示パネル４１にその背面４１ｂから入射する。
【００２９】
ところで、蛍光管４８ａ，４８ｂは、上述のように、点灯中に発熱する。そのため、本実施形態のポータブルコンピュータ１では、伝熱部材としての伝熱シート（放熱シート）６０を第２のハウジング２０内に収容し、蛍光管４８ａ，４８ｂから発せられた熱を伝熱シート６０を介して第２のハウジング２０の外部に放熱するようにしている。伝熱シート６０は、熱伝導率が比較的高く、且つ、可撓性を有する材料にてシート状に形成されている。伝熱シート６０としては、金属箔材、金属薄板材、グラファイトシート材等を用いることができる。
【００３０】
伝熱シート６０は、互いに対向する一対の面６０ａ，６０ｂ（上面６０ａと下面６０ｂ）を有している。また、伝熱シート６０は、第１の部分６１、第２の部分６２、及び、第１の部分６１と第２の部分６２との間に設けられた第３の部分６３を有している。第１の部分６１、第３の部分６３、及び、第２の部分は、下側から上側に向かってこの順序で並んでいる。
【００３１】
伝熱シート６０は、第１の部分６１の一方の面６０ａ側を液晶表示装置４０と熱的に接触させるとともに、第２の部分６２の他方の面６０ｂ側を第２のハウジング２０の内面２０ａのうちの第１の部分６１が液晶表示装置４０と熱的に接触している領域と対向する領域以外の領域と熱的に接触させ、且つ、第３の部分６３を第２のハウジング２０及び液晶表示装置４０と離間させた姿勢で第２のハウジング２０内に収容されている。本実施形態では、第１の部分６１は、光源部４６のリフレクタ４９と熱的に接触しており、第２の部分６２は、第２のハウジング２０の背壁２２の内面２０ａの上下方向略中央部と熱的に接触している。
【００３２】
図３に示すように、第１の部分６１の上下方向の長さは、リフレクタ４９を外側から巻き込むように被覆可能な長さに設定されている。また、上述のように、蛍光管４８ａ，４８ｂは、その種類によって長手方向のいずれの位置が発熱するのかが異なる。そのため、第１の部分６１は、蛍光管４８ａ，４８ｂの発熱し易い部位と接触する形状とするのが好ましい。本実施形態では、光源として、点灯中に、その長手方向の全域で発熱する蛍光管４８ａ，４８ｂを採用しているため、第１の部分６１の左右方向の長さを、蛍光管４８ａ，４８ｂの長手方向の長さと略同じ長さ或いはそれ以上の長さに設定している。
【００３３】
第２の部分６２の上下方向の長さは、第２のハウジング２０の背壁２２の内面２０ａと熱的に接触可能な長さを有している。第２の部分６２の左右方向の長さは任意である。本実施形態では、第２の部分６２の左右方向の長さが、蛍光管４８ａ，４８ｂの長手方向の長さよりも若干短くなるように設定している。第３の部分６３の上下方向の長さ及び左右方向の長さは任意である。本実施形態では、第３の部分６３の左右方向の長さを第２の部分６２の左右方向の長さと同じ長さに設定するとともに、第３の部分６３の上下方向の長さを第２の部分６２の上下方向の長さよりも長く設定している。
【００３４】
また、蛍光管４８ａ，４８ｂから発せられた熱を伝熱シート６０を介して第２のハウジング２０の外部により良好に放熱させるためには、第２のハウジング２０の外壁２１〜２６のうちの少なくとも第２の部分６２が熱的に接触する外壁、すなわち、背壁２２を熱伝導率の良好な材料により形成するのが好ましい。本実施形態では、背壁２２、一対の側壁２３，２４、及び一対の端壁２５，２６を構成する金属製のケース部材２９を金属材料により形成するとともに、前壁２１を構成するカバー部材３０を樹脂材料により形成している。また、蛍光管４８ａ，４８ｂから発せられた熱を伝熱シート６０を介して第２のハウジング２０の外部により良好に放熱させるためには、ベゼル４４は、熱伝導率の良好な材料により形成するのが好ましい。本実施形態では、ベゼル４４を金属材料により形成している。
【００３５】
液晶表示装置４０は、以下のようにして組立てられる。まず、導光板４５と光源部４６とをユニット化させてバックライト４２を形成するとともに、導光板４５を液晶表示パネル４１に貼り付ける。第１の部分６１がリフレクタ４９の略全域を外側から覆い、且つ、第２及び第３の部分６２，６３が導光板４５の背面４５ｂ側に延出するように、伝熱シート６０の第１の部分６１をリフレクタ４９の外面に貼り付ける。これにより、光源部４６と伝熱シート６０とが熱的に接触する。液晶表示パネル４１、バックライト４２、及び回路基板４３を所定の位置に配置した状態で、ベゼル４４によりこれらを保持させる。以上により、液晶表示装置４０がユニット化される。
【００３６】
組立てられた液晶表示装置４０は、以下のようにして第２のハウジング２０内に収容される。枠状の支持部材５４（図２参照）に液晶表示装置４０を嵌め込む。支持部材５４に嵌め込まれた液晶表示装置４０をケース部材２９の内部に近づけながら、伝熱シート６０の第２の部分６２の他方の面６０ｂを第２のハウジング２０の背壁２２の内面２０ａ（ケース部材２９が構成する背壁２２の内面２０ａ）に貼り付ける。このとき、第２のハウジング２０の内面２０ａのうち、上記第１の部分６１と液晶表示装置４０とが熱的に接触している領域と対向する領域以外となる領域に、上記第２の部分６２の他方の面６０ｂを貼り付ける。上記支持部材５４とともに液晶表示装置４０をケース部材２９内に収容する。これにより、ベゼル４４が、支持部材５４を介して、ケース部材２９内に固定される。また、伝熱シート６０が、第１の部分６１を液晶表示装置４０と熱的に接続させるとともに、第２の部分６２を第２のハウジング２０と熱的に接続させ、且つ、第３の部分６３を第２のハウジング２０及び液晶表示装置４０と離間させた姿勢で第２のハウジング２０内に収容される。ケース部材２９に、その前側からカバー部材３０を取付ける。以上により、液晶表示装置４０が第２のハウジング２０内に収容される。
【００３７】
したがって、このポータブルコンピュータ１では、光源部４６から発せられた熱が以下のようにして、第２のハウジング２０の外部に放熱される。光源部４６から発せられた熱は、伝熱シート６０の第１、第２、及び第３の部分６１，６２，６３を介して金属製のケース部材２９に伝達される。ケース部材２９に伝達された熱は、ケース部材２９の外周囲の雰囲気（空気）中、特に、第２のハウジング２０の内部よりも温度が比較的低いことが多い第２のハウジング２０の外部に放熱される。また、第３の部分６３に伝えられた熱の一部は、その外周囲の雰囲気（空気中）に輻射される。このように、伝熱シート６０を介する第２のハウジング２０への伝熱、及び、伝熱シート６０の第３の部分６３における輻射により、光源部４６で発せられた熱が放熱され、光源部４６の温度上昇が抑制される。
【００３８】
以上のように、上記構成のポータブルコンピュータ１によれば、伝熱シート６０は、第１の部分６１を液晶表示装置４０と熱的に接触させるとともに、第２の部分６２を第２のハウジング２０の内面２０ａのうちの第１の部分６１が液晶表示装置４０と熱的に接触している領域と対向する領域以外の領域と熱的に接触させ、且つ、第３の部分６３を第２のハウジング２０及び液晶表示装置４０と離間させた姿勢で、第２のハウジング２０内に収容されている。そのため、伝熱シート６０を介する第２のハウジング２０への伝熱、及び、伝熱シート６０の第３の部分６３における輻射により、光源部４６から発せられた熱を第２のハウジング２０の外部に効率良く放熱することができる。
【００３９】
したがって、光源部４６から発せられた熱が液晶表示パネル４１側に伝熱し難くなるので、液晶表示パネル４１の表示むらを抑制することができる。しかも、第２のハウジング２０に光源部４６から発せられる熱を放熱するための開口を形成することなく、光源部４６から発せられる熱を第２のハウジング２０の外部に効率良く放熱できるので、第２のハウジング２０内に塵埃等が侵入し難いポータブルコンピュータ１が得られる。
【００４０】
さらに、可撓性を有する伝熱シート６０は、第３の部分６３を第２のハウジング２０及び液晶表示装置４０とは離間させた姿勢で、第２のハウジング２０内に収容させている。したがって、第２のハウジング２０の外部から押圧や衝撃が与えられても、その力が伝熱シート６０の第３の部分６３、及び、第２のハウジング２０と液晶表示装置４０との間の空間で吸収され易い。よって、第２のハウジング２０の外部から押圧や衝撃が、伝熱シート６０を介して、バックライト４２や液晶表示パネル４１といった内部部品に伝達されるのを抑制することができる。
【００４１】
しかも、伝熱シート６０の第１の部分６１は、光源部４６と熱的に接触している。よって、光源部４６から発せられた熱が直接的に伝熱シート６０に伝えられるので、光源部４６の熱をより効率よく第２のハウジング２０の外部に放熱させることができる。
【００４２】
また、蛍光管４８ａ，４８ｂの長手方向において温度むらが生じると、蛍光管４８ａ，４８ｂの輝度むらが生じるおそれがある。蛍光管４８ａ，４８ｂの輝度むらは、液晶表示パネル４１の表示むらの原因の１つであるため好ましくない。これに対し、上記構成のポータブルコンピュータ１によれば、伝熱シート６０の第１の部分６１を液晶表示装置４０のうちの光源部４６の長手方向の少なくとも一部、具体的には、蛍光管４８ａ，４８ｂの長手方向において他の領域よりも発熱量の大きい領域と熱的に接触させている。よって、光源部４６から発せられた熱を、伝熱シート６０を介して、蛍光管４８ａ，４８ｂの長手方向における温度を均一化させる方向に伝熱させることができる。したがって、蛍光管４８ａ，４８ｂの輝度むらを抑制することができるとともに、蛍光管４８ａ，４８ｂの輝度むらに起因する液晶表示パネル４１の表示むらを抑制することができる。
【００４３】
具体的には、本実施形態のポータブルコンピュータ１では、光源として、点灯中に、その長手方向の全域で発熱する蛍光管４８ａ，４８ｂを採用しているため、伝熱シート６０の第１の部分６１は、光源部４６のリフレクタ４９の長手方向の全域と対応する領域と熱的に接触させている。これにより、蛍光管４８ａ，４８ｂの長手方向において温度差が生じた場合であっても、伝熱シート６０を介して蛍光管４８ａ，４８ｂの長手方向における温度が均一化される。よって、蛍光管４８ａ，４８ｂの輝度むらを抑制することができる。
【００４４】
さらに、上記構成の表示装置によれば、互いに対向する一対の面４１ａ，４１ｂを有する液晶表示パネル４１と、この液晶表示パネル４１の背面４１ｂ側に配置された光源部４６と、液晶表示パネル４１及び光源部４６を保持するベゼル４４と、第１の部分６１、第２の部分６２、及び、第１の部分６１と第２の部分６２との間に設けられた第３の部分６３を有し、光源部４６から発せられる熱を伝達可能な伝熱シート６０とを備えている。そして、第１の部分６１は、光源部４６と熱的に接触しており、第２の部分６２は、ベゼル４４が収容される第２のハウジング２０と熱的に接触可能とされている。よって、この液晶表示装置４０によれば、第２のハウジング２０に収容した状態において、第２のハウジング２０の外部から押圧や衝撃が与えられても、内部部品（光源部４６や液晶表示素子４１等）に上記押圧や衝撃が入力され難い。しかも、光源部４６で生じた熱を効率良く第２のハウジング２０の外部に放熱することができる。したがって、この液晶表示装置４０は、ポータブルコンピュータ１のように、任意の場所に持ち運んで使用するような電子機器に好適に具備させることができる。
【００４５】
なお、伝熱シート６０の第１の部分６１を光源部４６と接触させる場合であって、且つ、長手方向の中間部が発熱する蛍光管４８ａ，４８ｂを採用する場合には、伝熱シート６０の第１の部分６１の形状（平面形状）を後述する第２の実施形態や第３の実施形態のようにするとよい（図５及び図７参照）。また、伝熱シート６０の第１の部分６１を光源部４６と接触させる場合であって、且つ、長手方向の両端部が発熱する蛍光管４８ａ，４８ｂを採用する場合には、伝熱シート６０の第１の部分６１の形状を後述する第４の実施形態のようにするとよい（図９参照）。すなわち、伝熱シート６０の第１の部分６１の形状は、光源の長手方向の長手方向において、他の領域よりも発熱量の大きい領域と熱的に接触可能な形状とするのが好ましい。
【００４６】
以下、本発明の第２の実施形態を、図４及び図５を参照して説明する。  
本実施形態では、伝熱シート６０は、第１の部分６１の一方の面６０ａ側を液晶表示装置４０が備えるベゼル４４の内面４４ａと熱的に接触させている。第１の部分６１をベゼル４４の内面４４ａと熱的に接触させる場合、好ましくは、第１の部分６１をベゼル４４の背壁５１と光源部４６との間に配設し、第１の部分６１の一方の面６０ａ側をベゼル４４の背壁５１の内面４４ａに貼り付けるとともに、第１の部分６１の他方の面６０ｂ側を光源部４６のリフレクタ４９と熱的に接触させるようにするとよい。
【００４７】
また、本実施形態では、光源として、長手方向の中間部が発熱する一対の蛍光管４８ａ，４８ｂを採用している。そのため、図３に示すように、伝熱シート６０の平面形状を略Ｔ字状に形成し、第１の部分６１をベゼル４４の背壁５１の内面４４ａの左右方向中間部と熱的に接触させるとともに、上記ベゼル４４の背壁５１の内面４４ａの左右方向両端部とは接触しないようにしている。
【００４８】
液晶表示装置４０は、以下のようにして組立てられる。まず、導光板４５と光源部４６とをユニット化させてバックライト４２を形成する。液晶表示パネル４１に導光板４５を貼り付ける。一方、伝熱シート６０の第１の部分６１の一方の面６０ａ側をベゼル４４の背壁５１の内面４４ａに貼り付ける。伝熱シート６０の第２及び第３の部分６２，６３を導光板４５の背面４５ｂ側に延出させた状態で、液晶表示パネル４１、バックライト４２、及び回路基板４３をベゼル４４に保持させる。これにより、伝熱シート６０の第１の部分６１の他方の面６０ｂ側を光源部４６のリフレクタ４９の外面と熱的に接触させる。以上により、液晶表示装置４０がユニット化される。なお、他の構成は、図示しない部分を含めて上述した第１の実施形態と同じであるから、重複する説明は図に同符号を付して省略する。
【００４９】
上記構成のポータブルコンピュータ１によれば、伝熱シート６０の第１の部分６１をベゼル４４の背壁２２の内面５０ａと熱的に接触させている。このようにしても、第１の実施形態と同様の効果が得られる。また、上記構成のポータブルコンピュータ１では、点灯中に、その長手方向の中間部が発熱する蛍光管４８ａ，４８ｂを採用しているため、伝熱シート６０の第１の部分６１は、ベゼル４４の背壁５１の内面４４ａの左右方向（長手方向）の中間部と熱的に接触するようにしている。これにより、光源部４６から発せられた熱を、伝熱シート６０及びベゼル４４を介して、蛍光管４８ａ，４８ｂの長手方向における温度を均一化させる方向に伝熱させることができる。よって、蛍光管４８ａ，４８ｂの輝度むらを抑制することができる。
【００５０】
上記構成の液晶表示装置４０は、互いに対向する一対の面４１ａ，４１ｂを有する液晶表示パネル４１と、この液晶表示パネル４１の背面４１ｂ側に配置された光源部４６と、液晶表示パネル４１及び光源部４６を保持するベゼル４４と、第１の部分６１、第２の部分６２、及び、第１の部分６１と第２の部分６２との間に設けられた第３の部分６３を有し、光源部４６から発せられる熱を伝達可能な伝熱シート６０を備えている。そして、第１の部分６１は、ベゼル４４の内面４４ａと熱的に接触しており、第２の部分６２は、ベゼル４４が収容される第２のハウジング２０と熱的に接触可能とされている。よって、この液晶表示装置４０によれば、第２のハウジング２０に収容した状態において、外部から入力される押圧や衝撃を第２のハウジング２０内の内部部品に伝え難い。しかも、光源部４６で生じた熱を効率良く第２のハウジング２０の外部に放熱することができる。
【００５１】
なお、伝熱シート６０の第１の部分６１をベゼル４４の背壁５１の内面４４ａと接触させる場合であって、且つ、長手方向の全域が発熱する蛍光管４８ａ，４８ｂを採用する場合には、伝熱シート６０の第１の部分６１の形状を上記第１の実施形態のようにするとよい（図３参照）。また、伝熱シート６０の第１の部分６１をベゼル４４の背壁５１の内面４４ａと接触させる場合であって、且つ、長手方向の両端部が発熱する蛍光管４８ａ，４８ｂを採用する場合には、伝熱シート６０の第１の部分６１の形状を後述する第４の実施形態のようにするとよい（図９参照）。また、伝熱シート６０の形状は、後述する第３の実施形態のようにしてもよい（図７参照）。
【００５２】
以下、本発明の第３の実施形態を、図６及び図７を参照して説明する。  
本実施形態では、伝熱シート６０は、第１の部分６１の一方の面６０ａ側を液晶表示装置４０が備えるベゼル４４の外面４４ｂと熱的に接触させている。第１の部分６１をベゼル４４の外面４４ｂと熱的に接触させる場合、好ましくは、第１の部分６１をベゼル４４の光源側の端壁５３の外面４４ｂ及び背壁５１の外面４４ｂに巻きつけるように貼り付けるとよい。
【００５３】
また、本実施形態では、光源として、長手方向の中間部が発熱する一対の蛍光管４８ａ，４８ｂを採用している。そのため、図３に示すように、伝熱シート６０の第１の部分６１がベゼル４４の左右方向中間部と熱的に接触し、且つ、伝熱シート６０の第１の部分６１が上記ベゼル４４の左右方向の両端部とは接触しないようにしている。さらに、本実施形態では、第３の部分６３を第１の部分６１側から第２の部分６２側に向かうにしたがって拡開するように形成している。これにより、第３の部分６３の面積が第２の実施形態の伝熱シート６０と比べて大きく設定されることとなる。なお、他の構成は、図示しない部分を含めて上述した第１の実施形態と同じであるから、重複する説明は図に同符号を付して省略する。
【００５４】
上記構成のポータブルコンピュータ１によれば、伝熱シート６０の第１の部分６１をベゼル４４の背壁５１の外面４４ｂと熱的に接触している。このようにしても、光源部４６で生じた熱を、ベゼル４４、伝熱シート６０を介して第２のハウジング２０に伝熱させることができるため、第１の実施形態と同様の効果が得られる。しかも、上記構成のポータブルコンピュータ１のように、伝熱シート６０の第１の部分６１をベゼル４４の背壁５１の外面４４ｂと熱的に接触させる場合、液晶表示装置４０をユニット化させた後に、伝熱シート６０を液晶表示装置４０と熱的に接触させることができる。よって、既存の液晶表示装置４０をそのまま適用することができる。
【００５５】
また、本実施形態のポータブルコンピュータ１では、第３の部分６３の面積が第２の実施形態の伝熱シート６０と比べて大きく設定されているため、第３の部分６３に伝えられた熱を、その外周囲の雰囲気（空気中）により良好に輻射することができる。これにより、伝熱シート６０の第３の部分６３において、光源部４６で発せられた熱をより良好に放熱することができる。
【００５６】
なお、伝熱シート６０の第１の部分６１をベゼル４４の背壁５１の外面４４ｂと接触させる場合であって、且つ、長手方向の全域が発熱する蛍光管４８ａ，４８ｂを採用する場合には、伝熱シート６０第１の部分６１の形状を上記第１の実施形態のようにするとよい（図３参照）。また、伝熱シート６０の第１の部分６１をベゼル４４の背壁５１の外面４４ｂと接触させる場合であって、且つ、長手方向の両端部が発熱する蛍光管４８ａ，４８ｂを採用する場合には、伝熱シート６０の形状を後述する第４の実施形態のようにするとよい（図９参照）。また、伝熱シート６０の第２の部分６２の形状は、上記第２の実施形態のようにしてもよい（図５参照）。
【００５７】
以下、本発明の第４の実施形態を、図８及び図９を参照して説明する。  
本実施形態では、伝熱シート６０は、第１の部分６１の一方の面６０ａ側を液晶表示装置４０が備えるベゼル４４の外面４４ｂと熱的に接触させている。本実施形態では、第１の部分６１をベゼル４４の背壁５１の外面４４ｂに貼り付けるようにしている。
【００５８】
また、本実施形態では、光源として、長手方向の両端部が発熱する一対の蛍光管４８ａ，４８ｂを採用している。そのため、図９に示すように、伝熱シート６０の第１の部分６１がベゼル４４の外面４４ｂの左右方向の両端部と熱的に接触し、且つ、伝熱シート６０の第１の部分６１が上記ベゼル４４の外面４４ｂの中間部とは接触しないようにしている。なお、他の構成は、図示しない部分を含めて上述した第１の実施形態と同じであるから、重複する説明は図に同符号を付して省略する。
【００５９】
本実施形態のポータブルコンピュータ１によれば、伝熱シート６０の第１の部分６１をベゼル４４の背壁５１の外面４４ｂと熱的に接触している。このようにしても、光源部４６で生じた熱を、ベゼル４４、伝熱シート６０を介して第２のハウジング２０に伝熱させることができるため、第１の実施形態と同様の効果が得られる。しかも、伝熱シート６０の第１の部分６１をベゼル４４の背壁５１の外面４４ｂと熱的に接触させる場合、液晶表示装置４０をユニット化させた後に、伝熱シート６０を液晶表示装置４０と熱的に接触させることができる。よって、既存の液晶表示装置４０をそのまま適用することができる。
【００６０】
なお、伝熱シート６０の第１の部分６１をベゼル４４の背壁５１の外面４４ｂと接触させる場合であって、且つ、長手方向の全域が発熱する蛍光管４８ａ，４８ｂを採用する場合には、伝熱シート６０第１の部分６１の形状を上記第１の実施形態のようにするとよい（図３参照）。また、伝熱シート６０の第１の部分６１をベゼル４４の背壁４１の外面４４ｂと接触させる場合であって、且つ、長手方向の中間部が発熱する蛍光管４８ａ，４８ｂを採用する場合には、伝熱シート６０の形状を上記第２及び第３の実施形態のようにするとよい（図５及び図７参照）。
【００６１】
以下、本発明の第５の実施形態を、図１０を参照して説明する。  
本実施形態の伝熱シート６０は、第２及び第３の部分６２，６３の上下方向の長さを第２の実施形態の伝熱シート６０の第２及び第３の部分６２，６３の上下方向の長さよりも長く形成している。そのため、第２の部分６２は、第２のハウジング２０の背壁２２の内面２０ａの上端部寄りの位置と熱的に接触することとなる。なお、他の構成は、図示しない部分を含めて上述した第２の実施形態と同じであるから、重複する説明は図に同符号を付して省略する。
【００６２】
上記構成のポータブルコンピュータ１によれば、伝熱シート６０の第２及び第３の部分６２，６３を上下方向の長さを長く設定することで、伝熱シート６０の第２及び第３の部分６２，６３の面積を広くしている。したがって、第２の部分６２と第２のハウジング２０との接触面積が広くなるため、光源部４６で生じた熱を第２のハウジング２０にさらに良好に伝えることができるとともに、伝熱シート６０を介して伝えられた熱を第２のハウジング２０から外部にさらに良好に放熱させることができる。しかも、第３の部分６３の面積が広くなるため、第３の部分６３から外周囲に輻射される熱量を多くすることができる。
【００６３】
以下、本発明の第６の実施形態を、図１１を参照して説明する。  
本実施形態では、伝熱シート６０の第１の部分６１の一方の面６０ａ側を液晶表示装置４０と熱的に接触させるとともに、第２の部分６２を上に凸となるように湾曲させて、第２の部分６２一方の面６０ａ側を第２のハウジング２０の内面２０ａと熱的に接触させるようにしている。この場合、第２及び第３の部分６２，６３の撓みに余裕を持たせる必要があるため、第２の実施形態よりも、第２及び第３の部分６２，６３の上下方向の長さを長く設定するのが好ましい。なお、他の構成は、図示しない部分を含めて上述した第１の実施形態と同じであるから、重複する説明は図に同符号を付して省略する。
【００６４】
伝熱シート６０は、その一端側である第１の部分６１を液晶表示装置４０に固定させた状態で、自由端となっている第２の部分６２を第２のハウジング２０の背壁２２の内面２０ａに貼り付けることで、第２のハウジング２０内に組み込まれる。
【００６５】
上記構成のポータブルコンピュータ１によれば、第２の部分６２を上に凸となるように湾曲させているため、第１の実施形態と比べて第２及び第３の部分６２，６３の撓みに余裕がある。したがって、上記第２の部分６２の第２のハウジング２０への貼り付けを第１の実施形態と比べて容易に行うことができる。しかも、伝熱シート６０の表面積を広くすることができるため、伝熱シート６０の外周囲に輻射される熱量を多くすることができる。よって、光源部４６で生じた熱を第２及び第３の部分６２，６３から良好に放熱させることができる。
【００６６】
なお、上記第１〜第６の実施形態では、光源部４６を液晶表示パネル４１の下縁部に沿って配設しているが、光源部４６は液晶表示パネル４１の上縁部或いは左右の側縁部に沿って配設してもよい。さらに、液晶表示装置４０が複数の光源部４６を備えるようにしてもよい。その場合、光源部４６は、液晶表示パネル４１の上縁部及び下縁部に沿うように配置するか、左右の側縁部に沿うように配置するのが好ましい。複数の光源部４６を互いに離間させて配置する場合、各光源部４６に対応するように伝熱シート６０を設けてもよい。
【００６７】
また、上記第１〜第６の実施形態では、第２のハウジング２０には、光源部４６から発せられる熱を放熱するための開口を設けないようにしているが、第２のハウジング２０には、光源部４６から発せられる熱を放熱するための開口を形成してもよい。
【００６８】
本発明に係る電子機器は、ポータブルコンピュータに制約されるものではなく、電子手帳やＰＤＡ等、種々の電子機器に広く適用することができる。
【図面の簡単な説明】
【００６９】
【図１】本発明の第１の実施形態に係るポータブルコンピュータを示す斜視図。
【図２】図１のポータブルコンピュータが備えるディスプレイユニットの断面図。
【図３】図２のディスプレイユニットが備える表示装置をベゼルを省略した状態で背面側から見た平面図。
【図４】本発明の第２の実施形態に係るポータブルコンピュータが備えるディスプレイユニットの断面図。
【図５】図４のディスプレイユニットが備える表示装置をベゼルを省略した状態背面側から見た平面図。
【図６】本発明の第３の実施形態に係るポータブルコンピュータが備えるディスプレイユニットの断面図。
【図７】図６のディスプレイユニットが備える表示装置をベゼルを省略した状態背面側から見た平面図。
【図８】本発明の第４の実施形態に係るポータブルコンピュータが備えるディスプレイユニットの断面図。
【図９】図８のディスプレイユニットが備える表示装置をベゼルを省略した状態背面側から見た平面図。
【図１０】本発明の第５の実施形態に係るポータブルコンピュータが備えるディスプレイユニットの断面図。
【図１１】本発明の第６の実施形態に係るポータブルコンピュータが備えるディスプレイユニットの断面図。
【符号の説明】
【００７０】
１…ポータブルコンピュータ（電子機器）、  ２０…ハウジング、  ２０ａ…（ハウジングの）内面、  ４０…液晶表示装置（表示装置）、  ４１…液晶表示パネル（表示パネル）、  ４４…ベゼル、  ４４ａ…（ベゼルの）内面、４４ｂ…（ベゼルの）外面、  ４６…光源部、  ６０…伝熱シート（伝熱部材）、  ６１…第１の部分、  ６２…第２の部分、  ６３…第３の部分
【図１】
2005140924.tif 000003
【図２】
2005140924.tif 000004
【図３】
2005140924.tif 000005
【図４】
2005140924.tif 000006
【図５】
2005140924.tif 000007
【図６】
2005140924.tif 000008
【図７】
2005140924.tif 000009
【図８】
2005140924.tif 000010
【図９】
2005140924.tif 000011
【図１０】
2005140924.tif 000012
【図１１】
2005140924.tif 000013